(57)【要約】【課題】設備または機器に関連する情報を予め登録し、登録した情報に対応する表示を時系列に表示することにより、設備または機器の状態を把握する時間を短縮させる端末、情報処理装置、情報表示方法および情報表示プログラムを提供する。【解決手段】本発明に係る端末２は、設備または機器について実施された作業に関する情報および作業の実施日時に係る日時情報を含む登録情報と、出力部２０８ｂに表示する設備または機器を特定する識別情報との入力を受け付ける入力部２０８ａと、登録情報および識別情報を情報処理装置１に送信し、日時情報に基づいて識別情報に対応する設備または機器の登録情報のうち最新の状態を示す情報を情報処理装置１から受信する通信部２０５と、最新の状態を示す情報を出力部２０８ｂに表示させる制御部２０１とを備える。【選択図】図２
2014167793.tif 000002
【特許請求の範囲】
【請求項１】
設備または機器について実施された作業に関する情報および該作業の実施日時に係る日時情報を含む登録情報と、出力部に表示する前記設備または機器を特定する識別情報との入力を受け付ける入力部と、
前記登録情報および前記識別情報を情報処理装置に送信し、前記識別情報に対応する前記設備または機器の、前記登録情報に基づいて生成された最新の状態を示す情報を情報処理装置から受信する通信部と、
前記最新の状態を示す情報を前記出力部に表示させる制御部と
を備える端末。
【請求項２】
前記入力部は、前記出力部に表示する前記作業の作業履歴を示す履歴情報を抽出する抽出条件の入力をさらに受け付け、
前記通信部は、前記抽出条件を前記情報処理装置に送信し、前記抽出条件を満たす前記作業の前記履歴情報を情報処理装置から受信し、
前記制御部は、前記履歴情報を前記日時情報に基づいて、前記出力部の期間表示部に表示させる、請求項１に記載の端末。
【請求項３】
前記登録情報は、前記作業の内容、前記作業の実施者および前記作業の記録形態に係る情報のうち少なくとも１つをさらに含み、
前記抽出条件は、前記作業の内容、前記作業の実施者および前記作業の記録形態のうち少なくとも１つに基づいて前記履歴情報を抽出するための条件である、請求項２に記載の端末。
【請求項４】
前記設備または機器は、前記識別情報として、それぞれ固有のタグを有し、
前記通信部は、カメラを使用して撮影された前記タグを前記情報処理装置に送信し、前記タグに対応する前記設備または機器の前記作業の前記最新の状態を示す情報または前記履歴情報を情報処理装置から受信する、請求項２または請求項３に記載の端末。
【請求項５】
前記制御部は、前記履歴情報が重なる場合には、重なっている前記履歴情報の数を前記出力部に表示させる、請求項２乃至請求項４のいずれか一項に記載の端末。
【請求項６】
前記制御部は、重なっている前記履歴情報が選択されると、選択された複数の前記履歴情報に対応する前記登録情報を所定の順に表示させる、請求項５に記載の端末。
【請求項７】
表示された前記履歴情報が前記入力部を介して選択されると、
前記制御部は、前記選択された前記履歴情報に対応する前記登録情報を前記情報処理装置から受信し、
前記制御部は、受信した前記登録情報を前記出力部に表示させる、請求項２乃至請求項６のいずれか一項に記載の端末。
【請求項８】
設備または機器について実施された作業に関する情報および該作業の実施日時に係る日時情報を含む登録情報と、端末の出力部に表示する前記設備または機器を特定する識別情報とを前記端末から受信する受信部と、
受信した前記登録情報を記憶する記憶部と、
前記識別情報に対応する前記設備または機器の最新の状態を示す情報を、前記記憶部に記憶された前記登録情報に基づいて生成する制御部と、
前記最新の状態を示す情報を前記端末に送信する送信部と
を備える情報処理装置。
【請求項９】
前記受信部は、前記出力部に表示する前記作業の作業履歴を示す履歴情報を抽出する抽出条件を前記端末からさらに受信し、
前記制御部は、前記抽出条件を満たす前記作業の前記履歴情報を前記記憶部に記憶された前記登録情報から抽出し、
前記送信部は、前記履歴情報を前記端末に送信する、請求項８に記載の情報処理装置。
【請求項１０】
前記登録情報は、前記作業の内容、前記作業の実施者および前記作業の記録形態に係る情報のうち少なくとも１つをさらに含み、
前記制御部は、抽出条件として設定された前記作業の内容、前記作業の実施者および前記作業の記録形態のうち少なくとも１つに基づいて前記履歴情報を抽出する、請求項９に記載の情報処理装置。
【請求項１１】
前記設備または機器は、前記識別情報として、それぞれ固有のタグを有し、
前記制御部は、受信した前記タグに対応する前記設備または機器の前記最新の状態を示す情報を生成しまたは前記履歴情報を抽出する、請求項９または請求項１０に記載の情報処理装置。
【請求項１２】
前記送信部は、前記端末において選択された前記履歴情報に係る前記登録情報を前記端末に送信する、請求項９乃至請求項１１のいずれか一項に記載の情報処理装置。
【請求項１３】
端末による情報処理方法であって、
設備または機器について実施された作業の実施日時に係る日時情報を含む登録情報と、出力部に表示する前記設備または機器を特定する識別情報との入力を受け付けるステップと、
前記登録情報および前記識別情報を情報処理装置に送信するステップと、
前記日時情報に基づいて前記識別情報に対応する前記設備または機器の前記登録情報のうち最新の状態を示す情報を情報処理装置から受信するステップと、
前記最新の状態を示す情報を前記出力部に表示させるステップと
を含む情報表示方法。
【請求項１４】
設備または機器について実施された作業の実施日時に係る日時情報を含む登録情報と、出力部に表示する前記設備または機器を特定する識別情報との入力を受け付けるステップと、
前記登録情報および前記識別情報を情報処理装置に送信するステップと、
前記日時情報に基づいて前記識別情報に対応する前記設備または機器の前記登録情報のうち最新の状態を示す情報を情報処理装置から受信するステップと、
前記最新の状態を示す情報を前記出力部に表示させるステップと
をコンピュータに実行させる情報表示プログラム。
【発明の詳細な説明】
【技術分野】
【０００１】
本発明は、設備および機器に関連する情報を表示する端末、情報処理装置、情報表示方法および情報表示プログラムに関する。
【背景技術】
【０００２】
従来、納入時の設備やその設備に設置される機器に関連する情報や納入後に行われた修繕、改造、点検および保守などに関連する情報は、データベースなどにより管理されている。しかし、納入時の情報に修繕、改造、点検および保守などに関する内容が反映されずに管理されている場合、設備および機器に対する各種業務を行う作業者は、管理されている設備または機器に関連する情報を見直し、設備または機器の状態を把握してから各種業務を行わなければならない。例えば、納入時の図面情報と修繕内容または改造内容を反映した図面情報とが差し替えられずに、納入時の図面情報と修繕内容または改造内容が記載された図面情報が別々に記憶されている場合には、作業者は図面情報を見直して状態を把握してから、各種業務を行わなければならない。そこで、設備および機器の状態を把握するための情報を、作業者に提示する技術が求められている。
【０００３】
例えば、プラントの状態を表すデータが格納されるメモリ容量に対応させた長さのスクロールバーをウインドウの一部に設定し、スクロールバー内の位置とメモリ内のデータ格納位置とを対応づけておき、スクロールバー内の位置を指定するポインタを画面に表示し、ポインタが指定する位置に対応するメモリのデータ格納位置に格納されている一連のデータをプラント監視画面に表示する技術が知られている。また、この技術によればデータの内の特定のデータが格納されている位置を、タイムタグなどによりスクロールバーに関連させて表示している。例えば、特許文献１を参照。
【先行技術文献】
【特許文献】
【０００４】
【特許文献１】特開平６−１８６０５９号公報
【発明の概要】
【発明が解決しようとする課題】
【０００５】
本発明は、設備または機器に関連する情報を予め登録し、登録した情報に対応する表示を時系列に表示することによって設備または機器の最新の状態および作業の履歴を表示することにより、設備または機器の状態を把握する時間を短縮させる端末、情報処理装置、情報表示方法および情報表示プログラムを提供することを目的とする。
【課題を解決するための手段】
【０００６】
本実施の態様のひとつである端末は入力部と、通信部と、制御部とを有する。入力部は、設備または機器について実施された作業に関する情報および該作業の実施日時に係る日時情報を含む登録情報と、出力部に表示する設備または機器を特定する識別情報との入力を受け付ける。通信部は、登録情報および識別情報を情報処理装置に送信する。また、通信部は、日時情報に基づいて識別情報に対応する設備または機器の登録情報のうち最新の状態を示す情報を情報処理装置から受信する。制御部は、最新の状態を示す情報を出力部に表示させる。
【０００７】
他の実施の態様である情報処理装置は、受信部と、記憶部と、制御部と、送信部とを有する。受信部は、設備または機器について実施された作業に関する情報および該作業の実施日時に係る日時情報を含む登録情報と、端末の出力部に表示する設備または機器を特定する識別情報とを端末から受信する。記憶部は、受信した登録情報を記憶する。制御部は、日時情報に基づいて識別情報に対応する設備または機器の登録情報のうち最新の状態を示す情報を、記憶部に記憶された登録情報から生成する。通信部は、最新の状態を示す情報を端末に送信する。
【発明の効果】
【０００８】
本発明によれば、設備または機器に関連する情報を予め登録し、登録した情報に対応する表示を時系列に表示することによって設備または機器の最新の状態および作業の履歴を表示することにより、設備または機器の状態を把握する時間を短縮することができるため、業務の作業効率を向上できるという効果を奏する。
【図面の簡単な説明】
【０００９】
【図１】図１は、一実施形態のシステムの一実施例を示す図である。
【図２】図２は、情報処理装置および端末のハードウェアの一実施例を示す図である。
【図３】図３は、端末の入出力インタフェースと入出力部の一実施例を示す図である。
【図４】図４は、情報処理装置の一実施例を示す図である。
【図５】図５は、第１の画面を表示させる動作の一実施例を示すフロー図である。
【図６】図６は、第１の画面の一実施例を示す図である。
【図７】図７は、第１の画面を表示させるデータの関係を示す図である。
【図８】図８は、第１の登録画面を表示させる動作の一実施例を示すフロー図である。
【図９】図９は、第１の登録画面の一実施例を示す図である。
【図１０】図１０は、第１の登録画面を表示させるデータの関係を示す図である。
【図１１】図１１は、第２の登録画面を表示させる動作の一実施例を示すフロー図である。
【図１２】図１２は、第２の登録画面を表示させる動作の一実施例を示すフロー図である。
【図１３】図１３は、第２の登録画面の表示の一実施例を示す図である。
【図１４】図１４は、第２の登録画面を表示させるデータの関係を示す図である。
【図１５】図１５は、機器情報表示画面を表示させる動作の一実施例を示すフロー図である。
【図１６】図１６は、機器情報表示画面の一実施例を示す図である。
【図１７】図１７は、第１の登録画面を表示させるデータの関係を示す図である。
【図１８】図１８は、閲覧表示部を表示させる動作の一実施例を示すフロー図である。
【図１９】図１９は、閲覧表示部を表示させる動作の一実施例を示すフロー図である。
【図２０】図２０は、閲覧表示部の表示の一実施例を示す図である。
【図２１】図２１は、閲覧表示部の表示の一実施例を示す図である。
【図２２】図２２は、閲覧表示部を表示させるデータの関係を示す図である。
【図２３】図２３は、絞込み表示部を表示させるデータの関係を示す図である。
【図２４】図２４は、表示部を表示させるデータの関係を示す図である。
【図２５】図２５は、表示部を表示させるデータの関係を示す図である。
【発明を実施するための形態】
【００１０】
以下図面に基づいて、一実施形態について詳細を説明する。
システムについて説明する。
図１は、一実施形態のシステムの一実施例を示す図である。図１に示すシステムは、例えば、水道設備、下水道設備、環境設備それぞれを管理するシステムまたは水道設備、下水道設備、環境設備を総合管理するシステムなどが考えられる。
【００１１】
水道設備は、例えば、浄水場の濾過設備、濾過の過程で発生した汚泥の処理設備などの各種機械設備、ならびにプラントを運転するための受変電設備、計装設備、監視制御設備などの各種電気設備などである。下水道設備は、例えば、水処理用散気装置、汚泥脱水機、汚泥焼却炉、下水汚泥のガス化・燃料化システムに加え高速雨水処理システムなどの各種機械設備、ならびに、プラントを運転するための受変電設備、計装設備、監視制御設備などの各種電気設備などである。環境設備は、例えば、都市ゴミのリサイクル、資源化などの都市環境に不可欠なゴミ処理プラント、ガス化溶融炉やリサイクルプラザ、ゴミ炭化プラント、バイオマス発電システム、廃棄プラスチック破袋選別装置などである。
【００１２】
ただし、本システムは水道設備、下水道設備、環境設備を管理するシステムに限定されるものではなく、他の各種プラントを管理するシステムでもよい。
【００１３】
図１の情報処理装置１は、例えば、クラウドコンピューティングを提供する側のデータセンタに設けられている情報処理装置（１つ以上のサーバコンピュータから構成される装置）が考えられる。端末２ａ〜２ｎは、例えば、携帯情報端末（携帯電話機、Personal Handy-phone System（ＰＨＳ）、スマートフォン、タブレットパーソナルコンピュータなど）、据え置き型の情報端末などが考えられる。ネットワーク３は、例えば、有線または無線を用いた通信に利用される回線などが考えられる。
【００１４】
ここで、情報処理装置と端末とについて説明をする。図２は、情報処理装置および端末のハードウェアの一実施例を示す図である。図２に示す情報処理装置１および端末２ａ〜２ｎのそれぞれのハードウェアは、制御部２０１、記憶部２０２、記録媒体読取装置２０３、入出力インタフェース２０４、通信部２０５などを備えている。また、各構成部はバス２０６によりそれぞれ接続されている。なお、本例では情報処理装置１について、１つのコンピュータのハードウェアについて説明をする。また、端末２ａ〜２ｎのうちのいずれか１つの端末（以降、端末２と呼ぶ）のハードウェアについて説明をする。
【００１５】
制御部２０１はCentral Processing Unit（ＣＰＵ）、マルチコアＣＰＵ、プログラマブルなデバイス（Field Programmable Gate Array（ＦＰＧＡ）、Programmable Logic Device（ＰＬＤ）など）を用いることが考えられる。
【００１６】
記憶部２０２は、例えばRead Only Memory（ＲＯＭ）、Random Access Memory（ＲＡＭ）などのメモリやハードディスクなどが考えられる。なお、記憶部２０２にはパラメータ値、変数値などのデータを記録してもよいし、実行時のワークエリアとして用いてもよい。なお、情報処理装置１の記憶部２０２は外部に設けたデータベースなどの記憶装置でもよい。
【００１７】
記録媒体読取装置２０３は、制御部２０１の制御に従って記録媒体２０７に対するデータのリード／ライトを制御する。そして、記録媒体２０７に記録媒体読取装置２０３の制御で書き込まれたデータを記録させたり、記録媒体２０７に記録されたデータを読み取らせたりする。また、着脱可能な記録媒体２０７は、コンピュータで読み取り可能なnon-transitory（非一時的）な記録媒体として、磁気記録装置、光ディスク、光磁気記録媒体、半導体メモリなどがある。磁気記録装置には、ハードディスク装置（ＨＤＤ）などがある。光ディスクには、Digital Versatile Disc（ＤＶＤ）、ＤＶＤ−ＲＡＭ、Compact DiscRead Only Memory（ＣＤ−ＲＯＭ）、ＣＤ−Ｒ(Recordable)／ＲＷ（ReWritable）などがある。光磁気記録媒体には、Magneto-Optical disk（ＭＯ）などがある。なお、記憶部２０２もnon-transitory（非一時的）な記録媒体に含まれる。
【００１８】
入出力インタフェース２０４には、入出力部２０８が接続され、入出力部２０８の入力装置から入力された情報を受信し、バス２０６を介して制御部２０１に送信する。また、制御部２０１から送信されたデータに従って入出力部２０８の出力装置（表示部）の画面に表示をする。入出力部２０８は、入出力の動作ごとに異なる機能部から構成することができる。すなわち、入出力部２０８は、情報を入力する入力部２０８ａと、情報を出力する出力部２０８ｂとにより構成することができる。
【００１９】
通信部２０５はネットワーク３に接続され、通信を行う。通信部２０５は、送受信の機能ごとに異なる機能部から構成することができる。すなわち、通信部２０５は、データの受信を行う受信部２０５ａと、データの送信を行う送信部２０５ｂとにより構成することができる。
【００２０】
続いて、端末への情報の入出力について説明をする。図３は、端末２の入出力インタフェースと入出力部の一実施例を示す図である。端末２の入出力インタフェース２０４は、タッチパネル制御Integrated Circuit（ＩＣ）３０１および表示制御ＩＣ３０３を有している。タッチパネル制御ＩＣ３０１は、タッチパネル３０２から入力された情報を制御部２０１に送信する。例えば、タッチパネル専用ＩＣなどが考えられる。表示制御ＩＣ３０３は、制御部２０１から送信されたデータに従って表示パネル３０４に情報を表示する。例えば、表示パネル専用ＩＣなどが考えられる。
【００２１】
端末２の入出力部２０８は、タッチパネル３０２、表示パネル３０４、マイク３０５、スピーカ３０６、カメラ３０７、センサ３０８などを有することが考えられる。表示パネル３０４は、例えば、液晶ディスプレイ、有機electroluminescence（ＥＬ）ディスプレイなどが考えられる。図３に示された各入出力機器において、タッチパネル３０２、マイク３０５、カメラ３０７およびセンサ３０８が入力部２０８ａに属し、表示パネル３０４およびスピーカ３０６が出力部２０８ｂに属する。
【００２２】
図２、図３で説明したハードウェア構成を有する情報処理装置１および端末２のコンピュータを用いることにより、後述する情報処理装置１および端末２の各種処理機能が実現される。その場合情報処理装置１および端末２が有すべき機能の処理内容を記述したプログラムが提供される。そのプログラムをコンピュータで実行することにより、後述する処理がコンピュータ上で実現される。処理内容を記述したプログラムは、コンピュータで読み取り可能な記録媒体２０７に記録しておくことができる。
【００２３】
プログラムを流通させる場合には、例えば、そのプログラムが記録されたＤＶＤ、ＣＤ−ＲＯＭなどの記録媒体２０７が販売される。また、プログラムをサーバコンピュータの記憶装置に記録しておき、ネットワーク３を介して、他のコンピュータにそのプログラムを転送することもできる。
【００２４】
プログラムを実行するコンピュータは、例えば、記録媒体２０７に記録されたプログラムもしくはコンピュータから転送されたプログラムを、自己の記憶部２０２に記憶する。そして、コンピュータは、自己の記憶部２０２からプログラムを読み取り、プログラムに従った処理を実行する。なお、コンピュータは、記録媒体２０７から直接プログラムを読み取り、そのプログラムに従った処理を実行することもできる。また、コンピュータは、プログラムが転送されるごとに、逐次、受け取ったプログラムに従った処理を実行することもできる。
【００２５】
図４は、情報処理装置の一実施例を示す図である。管理部４０１は、機器管理部４０２と認証部４０３とを有する。機器管理部４０２は、機器識別情報管理部４０４、機器識別情報記憶部４０５およびアクセス制御部４０６を有し、設備および機器を管理する。機器識別情報管理部４０４は、機器識別情報記憶部４０５に記憶されている設備および機器を識別するための機器識別情報を管理する。アクセス制御部４０６は、外部（端末２）からシステム（情報処理装置１）へのアクセスを制御する。また、外部（端末２）からシステム（情報処理装置１）への情報の書き込み許可などを制御する。なお、機器管理部４０２、アクセス制御部４０６をサーバとし、機器識別情報記憶部４０５をデータベースとしてもよい。
【００２６】
認証部４０３は、端末認証部４０７、利用者認証部４０８を有する。認証部４０３は、利用者と端末２の認証を行う。端末認証部４０７は、端末２から送信された端末認証情報を受信し、予め記憶されている端末認証情報と一致するか否かを判定して認証を行う。その後、端末認証部４０７は端末２に認証されたことを通知する。
【００２７】
利用者認証部４０８は、端末２から送信された利用者認証情報を受信し、予め記憶されている利用者認証情報と一致するか否かを判定して認証を行う。その後、利用者認証部４０８は端末２に認証されたことを通知する。なお、端末認証部４０７、利用者認証部４０８をサーバとしてもよい。
【００２８】
コンテンツ部４０９は、統合ツール４１０、業務ツール４１１、識別ツール４１２、帳票作成ツール４１３、機器情報ツール４１４、電子書庫ツール４１５および監視ツール４１６などを有する。コンテンツ部４０９には、端末２からの指示により起動するプログラムと関連するデータなどが記憶されている。
【００２９】
統合ツール４１０は、業務ツール４１１、識別ツール４１２、帳票作成ツール４１３、機器情報ツール４１４、電子書庫ツール４１５および監視ツール４１６などを統合するプログラム（パッケージコンテンツなど）である。
【００３０】
業務ツール４１１は、例えば、監視、修繕、改造、点検および保守などの作業に関する業務に用いられるプログラムである。識別ツール４１２は、例えば、設備および機器に割り当てられた識別情報を含むタグを、カメラ３０７で撮影して画像処理を行い、画像処理を行った結果を用いて、設備および機器に割り当てられた機器識別情報を取得または登録するプログラムである。タグは、例えば、Augmented Reality（ＡＲ）タグなどを用いることが考えられる。ただし、ＡＲタグに限定されるものではない。
【００３１】
帳票作成ツール４１３は、監視、修繕、改造、点検および保守などの作業に関する業務に用いられる帳票類を作成し、ストレージ部４１７（記憶部２０２）に記憶させるプログラムである。例えば、点検報告書、修繕報告書、改造報告書、障害報告書などを、作業者が作成する際に用いられる。
【００３２】
機器情報ツール４１４は、後述する登録部４２１を用いて、設備および機器に関連する後述する機器関連情報、階層情報、モノ情報、コト情報を、端末２を用いて利用者に提示するプログラムである。
【００３３】
電子書庫ツール４１５は、過去に収められた設備および機器に関連する後述するストレージ部４１７に記憶されている仕様書、部品表、組立図、検査仕様書、過去の台帳などの書類および図面などを電子化したデータ、電子データで登録されている書類および図面などのデータ、過去に作成された監視、修繕、改造、点検および保守などの報告書などを電子化したデータ、電子データで登録されている報告書などのデータのような作業に関する情報を、端末２で閲覧できるようにするためのプログラムである。
【００３４】
監視ツール４１６は、設備または機器の監視をするプログラムで、設備および機器の稼働状況に関するデータや、設備および機器を監視する装置や計測などを行う設備または機器などが計測したデータを、端末２を用いて利用者に提示する。
【００３５】
なお、コンテンツ部４０９をサーバとし、機器識別情報記憶部４０５をデータベースとしてもよい。
【００３６】
ストレージ部４１７は、メディア情報記憶部４１８、図書情報記憶部４１９および報告書記憶部４２０などを有している。
【００３７】
メディア情報記憶部４１８は、画像データ、動画データおよび音声データなどを記憶している。例えば、監視、修繕、改造、点検および保守などの作業において取得した画像データ、動画データ、音声データなどを記憶することが考えられる。
【００３８】
図書情報記憶部４１９は、設備および機器に関連する仕様書、部品表、組立図、検査仕様書および過去の台帳などの書類および図面などを電子化したデータや電子データで登録されている書類および図面などのデータのような作業に関する情報が記憶されている。
【００３９】
報告書記憶部４２０は、帳票作成ツール４１３を用いて過去に作成された監視、修繕、改造、点検および保守などの作業の報告書などを電子化したデータや電子データで登録されている報告書などのデータのような作業に関する情報が記憶されている。
【００４０】
登録部４２１は、機器情報登録部４２２、機器関連情報記憶部４２３、階層情報記憶部４２４、モノ情報記憶部４２５およびコト情報記憶部４２６などを有する。登録部４２１の機器情報登録部４２２は、設備または機器に関する情報を取得して、対応する機器関連情報記憶部４２３、階層情報記憶部４２４、モノ情報記憶部４２５およびコト情報記憶部４２６に記憶する。
【００４１】
機器関連情報記憶部４２３には、設備または機器と、それらの設備または機器に関係する他の設備または機器と、を関連付けるための情報が記憶されている。例えば、ポンプ機場の場合にはポンプとポンプの周辺機器の情報と、ポンプと周辺機器とを関連付ける情報とが記憶されている。
【００４２】
階層情報記憶部４２４には、設備または機器が配置されている位置に関する情報が階層を表すように記憶されている。例えば、水道設備である受変電所（建物）の４階の制御室の配電盤Ａに部品１（機器）がある場合、受変電所（建物）の図面、４階の図面、制御室の図面、配電盤Ａの図面、部品１（機器）の図面が、関連付けられて記憶されている。また、部品２が配電盤Ａに設けられているときは、受変電所（建物）の図面、４階の図面、制御室の図面、配電盤Ａの図面、部品２（機器）の図面が、関連付けられて記憶される。
【００４３】
モノ情報記憶部４２５には、設備または機器の名称、型番、部品番号、仕様および配置されている場所、設備または機器に関する連絡先など、設備または機器の詳細な情報が記憶されている。コト情報記憶部４２６には、設備または機器それぞれについて、納入後から現在に至るまでの監視、修繕、改造、点検および保守などの作業を行ったことを示す情報と、作業の実施日時に関する日時情報とが関連付けられて記憶されている。
【００４４】
機器情報登録部４２２をサーバとし、機器関連情報記憶部４２３、階層情報記憶部４２４、モノ情報記憶部４２５、コト情報記憶部４２６をデータベースとしてもよい。また、日時情報は、上述の各種データに含めて登録されていてもよい。
【００４５】
次に、端末２に表示される第１の画面について説明する。第１の画面は、設備または機器を情報処理装置１に登録するための画面への遷移、設備または機器に関する業務に用いた報告書などを情報処理装置１に登録するための画面への遷移、設備または機器の履歴を閲覧するための画面への遷移などを、管理する画面である。
【００４６】
図５は、第１の画面を表示させる動作の一実施例を示すフロー図である。ステップＳ５０１では、端末２を使用する利用者の認証と端末２の認証をするための認証処理を、情報処理装置１の認証部４０３を用いて行う。
【００４７】
ここで、認証処理について説明をする。まず、端末２は、通信部２０５を介して、端末２を用いて入力されたシステムの利用者を認証するための利用者認証情報と、端末２に設定されている端末認証情報と、を情報処理装置１へ送信する。続いて、情報処理装置１が利用者認証情報と端末認証情報とを受信し、認証部４０３の端末認証部４０７と利用者認証部４０８を用いて認証処理を行い、情報処理装置１から端末２へ認証がされたか否かを示す情報が送信される。認証に成功した場合にはステップＳ５０２に移行する。
【００４８】
ステップＳ５０２では、端末２の制御部２０１が第１の画面を表示するための指示を端末２の通信部２０５を介して情報処理装置１に送信する。情報処理装置１は、統合ツール４１０を用いて第１の画面を表示させるための情報を、端末２へ送信する。端末２が第１の画面を表示させるための情報を受信すると、端末２の制御部２０１は、端末２の出力部２０８ｂに第１の画面を表示させる。第１の画面は、例えば図６に示すような画面で、設備または機器を登録するための画面を選択する表示と、業務に関する報告を登録するための画面を選択する表示と、設備または機器に関する情報を閲覧するための画面を選択する表示と、カメラ３０７で撮影した画像と、を表示するための画面である。
【００４９】
図６は、第１の画面の表示の一実施例を示す図である。端末２に表示される第１の画面６０１は、第１の登録表示部６０２、第２の登録表示部６０３、機器情報選択表示部６０４および画像表示部６０５を有している。第１の登録表示部６０２、第２の登録表示部６０３および機器情報選択表示部６０４は、タッチパネル３０２を用いて選択されると、リンク先の画面を表示する。第１の登録表示部６０２が選択されると、後述する第１の登録画面９０１を表示する。第２の登録表示部６０３が選択されると、後述する第２の登録画面１３０１を表示する。機器情報選択表示部６０４が選択されると、後述する機器情報表示画面１６０１を表示する。画像表示部６０５は、カメラ３０７で撮影した画像を表示するための画面である。
【００５０】
図７は、第１の画面を表示させるデータの関係を示す図である。統合ツール４１０は、第１の画面６０１、第１の登録表示部６０２、第２の登録表示部６０３、機器情報選択表示部６０４、画像表示部６０５それぞれに関して、「表示識別情報」、「画面表示情報」「位置情報」「関連情報」などに示されている情報などを用いて処理する。
【００５１】
各表示を識別する情報を記憶する「表示識別情報」には、本例では、第１の画面６０１の表示識別情報を示す「第１の画面」、第１の登録表示部６０２の表示識別情報を示す「第１の登録表示部」、第２の登録表示部６０３の表示識別情報を示す「第２の登録表示部」、機器情報選択表示部６０４の表示識別情報を示す「機器情報選択表示部」、画像表示部６０５の表示識別情報を示す「画像表示部」などが記憶されている。
【００５２】
各表示のサイズや色などの情報を記憶する「画面表示情報」には、本例では、第１の画面６０１の画面表示情報を示す「f1_disp」、第１の登録表示部６０２の画面表示情報を示す「f1_reg1_disp」、第２の登録表示部６０３の画面表示情報を示す「f1_reg2_disp」、機器情報選択表示部６０４の画面表示情報を示す「f1_sel_disp」、画像表示部６０５の画面表示情報を示す「f1_image_disp」などが記憶されている。
【００５３】
各表示の画面上の表示位置を示す情報を記憶する「位置情報」には、本例では、第１の画面６０１の位置情報を示す「f1_pos」、第１の登録表示部６０２の位置情報を示す「f1_reg1_pos」、第２の登録表示部６０３の位置情報を示す「f1_reg2_pos」、機器情報選択表示部６０４の位置情報を示す「f1_sel_pos」、画像表示部６０５の位置情報を示す「f1_image_pos」などが記憶されている。
【００５４】
各表示が選択された場合に移行するリンク先のプログラムや実行されるプログラムの位置を表す情報を記憶する「関連情報」には、本例では、第１の画面６０１の関連情報を示す「f1_link」、第１の登録表示部６０２の関連情報を示す「f1_reg1_link」、第２の登録表示部６０３の関連情報を示す「f1_reg2_link」、機器情報選択表示部６０４の関連情報を示す「f1_sel_link」、画像表示部６０５の関連情報を示す「f1_image_link」などが記憶されている。
【００５５】
次に、第１の登録画面について説明する。第１の登録画面は、未登録または移設した設備または機器の基本情報を登録する画面である。基本情報は、例えば、設備または機器の識別番号、名称、設置場所、設備または機器に関する連絡先などを示す情報である。
【００５６】
図８は、第１の登録画面を表示させる動作の一実施例を示すフロー図である。ステップＳ８０１では、端末２のユーザが端末２のカメラ３０７で設備または機器に付けられているＡＲタグなどを撮影し、撮影した画像を制御部２０１が取得する。
【００５７】
ステップＳ８０２では、ユーザにより端末２の画面に表示されている第１の登録表示部６０２が選択される。続いて、端末２の制御部２０１が画像を端末２の通信部２０５を介して情報処理装置１に送信する。情報処理装置１は、統合ツール４１０を用いて第１の登録画面を表示させるための情報を生成し、生成した情報を端末２へ送信する。
【００５８】
ステップＳ８０３では、端末２が、第１の登録画面を表示させるための情報を情報処理装置１から受信すると、端末２の画面に第１の登録画面が表示される。第１の登録画面は未登録の設備または機器、あるいは移設した設備または機器に関連する情報を登録するための画面で、例えば図９に示すような画面である。
【００５９】
図９は、第１の登録画面の表示の一実施例を示す図である。端末２に表示される第１の登録画面９０１は、識別情報表示部９０２、入力部９０３、指定図識別情報表示部９０４および指定図表示部９０５などを有する。第１の登録画面９０１に表示させる情報は、情報処理装置１の統合ツール４１０で生成され、端末２に送信される。
【００６０】
識別情報表示部９０２は設備または機器に関連付けられた識別情報を表示する。例えば、正の整数などの番号が考えられる。識別情報表示部９０２に表示する識別情報について説明する。登録部４２１に未登録の設備または機器のＡＲタグの画像を取得した場合、機器識別情報管理部４０４は機器識別情報記憶部４０５に記憶されているまだ発番されていない識別情報を検出するか新しい識別情報を生成して、統合ツール４１０に転送する。登録部４２１に登録済みの設備または機器のＡＲタグの画像を取得した場合、機器識別情報管理部４０４は設備または機器を移設すると判定し、設備または機器に対応する識別情報を統合ツール４１０に転送する。
【００６１】
入力部９０３には未登録の設備または機器の名称を入力するための表示である。移設する場合には登録済みの名称が表示され、変更する場合には新しい名称を再入力してもよい。
【００６２】
指定図識別情報表示部９０４と指定図表示部９０５に表示する情報について説明する。指定図識別情報表示部９０４には、図書情報記憶部４１９に記憶されている機場、施設、施設内の区域、区域内の部屋、部屋に設けられた盤、盤に設けられた部品などの図面に割り付けられている識別情報（図面番号またはファイル名など）を選択可能に一覧表示またはツリー表示する。指定図表示部９０５には指定図識別情報表示部９０４で指定された図面が表示される。
【００６３】
ステップＳ８０４では、端末２の画面に表示された入力部９０３に、ソフトウェアキーボードまたは音声入力などにより入力された設備または機器の名称などの入力情報を取得する。
【００６４】
ステップＳ８０５では、端末２の画面に表示された指定図識別情報表示部９０４に表示された設置場所を指定する。指定した設置場所に対応する図面を図書情報記憶部４１９から検索する指示を、端末２から情報処理装置１に送信する。情報処理装置１の統合ツール４１０は図書情報記憶部４１９から対応する図面を取得し、情報処理装置１から端末２へ対応する図面の情報を送信する。なお、ステップＳ８０４とステップＳ８０５の順序は逆でもよい。
【００６５】
ステップＳ８０６では、端末２の制御部２０１が、端末２の画面に対応する図面を表示する。ステップＳ８０７では、端末２の画面に表示された図面に、ユーザの入力により設置場所が指定されたことを、端末２の制御部２０１が判定する。ユーザは、図９の指定位置表示部９０６や指定位置表示部９０７に示す位置などに設置場所を指定する。スタイラスペンや指先でクリックなどにより設置場所が指定されると、端末２の制御部２０１は、指定された位置に図形などを表示させる。
【００６６】
ステップＳ８０８では、端末２が関連付け処理を行うために、端末２から情報処理装置１へ図面と設置位置（図面に対応する座標情報など）の情報を送信する。関連付け処理は、情報処理装置１の機器情報登録部４２２が、階層情報記憶部４２４に図面と設置位置の関係を示す情報と、図面の上位階層にある図面および設置位置が示されている下位階層にある図面との関係を示す情報と、を関連付けて記憶する。図面の上位階層にある図面とは、例えば、施設図面の上位階層の図面であれば機場図面などが考えられる。設置位置が示されている下位階層にある図面とは、例えば、施設図面に設置位置が描かれた場合には、施設図面を区域分けした区域図面のうち設置位置が存在する区域の図面などが考えられる。
【００６７】
続いて、関連付け処理が完了すると、情報処理装置１から端末２に関連付け処理が完了したことが通知される。ステップＳ８０９では、第１の登録画面９０１で行う本処理が完了した場合、端末２の制御部２０１が本処理を完了させ、本処理が完了したことを情報処理装置１にも通知する。まだ、本処理が完了していない場合にはステップＳ８０４に移行する。
【００６８】
図１０は、第１の画面を表示させるデータの関係を示す図である。統合ツール４１０は、第１の登録画面９０１、識別情報表示部９０２、入力部９０３、指定図識別情報表示部９０４、指定図表示部９０５、指定位置表示部９０６、指定位置表示部９０７それぞれに関して、「表示識別情報」、「画面表示情報」「位置情報」「関連情報」などに示されている情報などを用いて処理する。
【００６９】
各表示を識別する表示識別情報を記憶する「表示識別情報」には、本例では、第１の登録画面９０１の表示識別情報を示す「第１の登録画面」、識別情報表示部９０２の表示識別情報を示す「識別情報表示部」、入力部９０３の表示識別情報を示す「入力部」、指定図識別情報表示部９０４の表示識別情報を示す「指定図識別情報表示部」、指定図表示部９０５の表示識別情報を示す「指定図表示部」、指定位置表示部９０６の表示識別情報を示す「指定位置表示部１」、指定位置表示部９０７の表示識別情報を示す「指定位置表示部２」などが記憶されている。
【００７０】
各表示のサイズや色などの情報を記憶する「画面表示情報」には、本例では、第１の登録画面９０１の画面表示情報を示す「f2_disp」、識別情報表示部９０２の画面表示情報を示す「f2_idn1_disp」、入力部９０３の画面表示情報を示す「f2_input_disp」、指定図識別情報表示部９０４の画面表示情報を示す「f2_idn2_disp」、指定図表示部９０５の画面表示情報を示す「f2_image1_disp」、指定位置表示部９０６の画面表示情報を示す「f2_image2_disp」、指定位置表示部９０７の画面表示情報を示す「f2_image3_disp」などが記憶されている。
【００７１】
各表示の画面上の表示位置を示す情報を記憶する「位置情報」には、本例では、第１の登録画面９０１の位置情報を示す「f2_pos」、識別情報表示部９０２の位置情報を示す「f2_idn1_pos」、入力部９０３の位置情報を示す「f2_input_pos」、指定図識別情報表示部９０４の位置情報を示す「f2_idn2_pos」、指定図表示部９０５の位置情報を示す「f2_image1_pos」、指定位置表示部９０６の位置情報を示す「f2_image2_pos」、指定位置表示部９０７の位置情報を示す「f2_image3_pos」などが記憶されている。
【００７２】
各表示が選択された場合に移行するリンク先のプログラムや実行されるプログラムの位置を表す情報を記憶する「関連情報」には、本例では、第１の登録画面９０１の関連情報を示す「f2_link」、識別情報表示部９０２の関連情報を示す「f2_idn1_link」、入力部９０３の関連情報を示す「f2_input_link」、指定図識別情報表示部９０４の関連情報を示す「f2_idn2_link」、指定図表示部９０５の関連情報を示す「f2_image1_link」、指定位置表示部９０６の関連情報を示す「f2_image2_link」、指定位置表示部９０７の関連情報を示す「f2_image3_link」などが記憶されている。
【００７３】
続いて、第２の登録画面について説明する。第２の登録画面は業務で使用する画面で、業務に関係する報告書などの情報を作成して記憶するための画面である。
【００７４】
図１１、１２は、第２の登録画面を表示させる動作の一実施例を示すフロー図である。ステップＳ１１０１では、ユーザが端末２のカメラ３０７で設備または機器に付けられているＡＲタグなどを撮影し、撮影した画像を制御部２０１が取得する。
【００７５】
ステップＳ１１０２では、端末２の画面に表示されている第２の登録表示部６０３が選択される。続いて、端末２の制御部２０１が端末２の通信部２０５を介して画像を情報処理装置１に送信する。情報処理装置１は、統合ツール４１０を用いて第２の登録画面を表示させるための情報を、端末２へ送信する。
【００７６】
ステップＳ１１０３では、端末２が第２の登録画面を表示させるための情報を、情報処理装置１から受信すると、端末２の画面に第２の登録画面が表示される。例えば、図１３に示すような画面である。
【００７７】
図１３は、第２の登録画面の表示の一実施例を示す図である。端末２に表示される第２の登録画面１３０１は、識別情報表示部１３０２、設備機器表示部１３０３、作業担当表示部１３０４、作業選択表示部１３０５〜１３０８、書類表示部１３０９、関連書類表示部１３１０、コメント入力部１３１１および完了選択表示部１３１２などを有する。第２の登録画面１３０１に表示される情報は、情報処理装置１の統合ツール４１０で生成され、端末２に送信される。
【００７８】
識別情報表示部１３０２は設備または機器に関連付けられた識別情報を表示する。例えば、正の整数などを用いた番号が考えられる。識別情報は識別ツール４１２を用いて取得する。
【００７９】
設備機器表示部１３０３は、識別情報表示部１３０２に表示されている識別情報に関連付けられた設備または機器の名称が表示される。機器情報ツール４１４を用いて登録部４２１から設備または機器の名称に関する情報を取得する。
【００８０】
作業担当表示部１３０４は作業を行う作業担当の名称を表示する。例えば、メーカー名、作業担当者名などが考えられる。作業担当の情報は、認証に成功すると利用者認証部４０８からコンテンツ部４０９に送信される。
【００８１】
作業選択表示部１３０５〜１３０８は、タッチパネル３０２などにより作業の内容を選択するための表示である。作業は、例えば、監視、修繕、改造、点検および保守などが考えられる。作業選択表示部１３０５〜１３０８のうち監視作業に対応する表示が選択されると、端末２から監視ツール４１６を起動させる指示が送信される。修繕、改造、点検および保守作業に対応する表示が選択されると、端末２から業務ツール４１１を起動させる指示が送信される。その後、書類表示部１３０９、関連書類表示部１３１０、コメント入力部１３１１などに、対象の設備または機器の修繕、改造、点検および保守作業に関する情報が表示される。
【００８２】
書類表示部１３０９は作業に関連する点検項目リストや各種報告書（報告書）のフォーマットが表示される。点検項目リストや各種報告書などのフォーマットは、帳票作成ツール４１３を用いて表示される。
【００８３】
関連書類表示部１３１０は、対象の設備または機器に関連する登録情報を、アイコンなどに対応づけて表示する。ここで、登録情報は、設備または機器について実施された作業に関する情報および該作業の実施日時に係る日時情報を含む情報である。コメント入力部１３１１は、対象の設備または機器の修繕、改造、点検および保守作業に関するコメントを入力するための表示である。コメント入力部１３１０には、修繕、改造、点検および保守作業を行った日時に係る日時情報を入力する日時情報入力部１３１３を設けてもよい。このようにして、端末２は、入力部２０８ａから登録情報の入力を受け付ける。なお、登録情報は、作業の内容、作業の実施者および作業の記録形態に係る情報のうち少なくとも１つをさらに含んでいてもよい。
【００８４】
完了選択表示部１３１２は、作業に係る業務が完了したことを知らせるための表示である。端末２の画面の完了選択表示部１３１２がタッチパネル３０２などを用いて選択されると、業務が完了したことを情報処理装置１に通知する。
【００８５】
ステップＳ１１０４では、端末２の画面に表示されている作業選択表示部１３０５〜１３０８のいずれか１つが選択されたことを、制御部２０１が検出する。続いて、選択された作業の業務処理に移行する。
【００８６】
業務処理の動作を示すフロー図である図１２のステップＳ１２０１では、端末２が選択された業務に関する業務情報を取得する、書類表示部１３０９、関連書類表示部１３１０、コメント入力部１３１１などに、対象の設備または機器の修繕、改造、点検および保守作業に関する情報が表示される。
【００８７】
ステップＳ１２０２では端末２を用いて業務ごとの処理が行われ、業務が完了するとステップＳ１１０５に移行する。業務ごとの処理では、対象の設備または機器の修繕、改造、点検および保守作業において作成した点検項目リストや各種報告書（報告書）に関する情報など、登録情報が、端末２から通信部２０５を介して情報処理装置１に送信され、情報処理装置１では、送信された登録情報を、登録部４２１に登録されている対象の設備または機器に関連付けてストレージ部４１７の報告書記憶部４２０に記憶する。このようにして、端末２において入力された登録情報が、情報処理装置１のストレージ部４１７（記憶部２０２）に記憶される。作業が行われるたびに、登録情報がストレージ部４１７に記憶されるため、ストレージ部４１７には、作業の履歴が蓄積される。
【００８８】
図１１のステップＳ１１０５では、完了選択表示部１３１２が選択された場合（Ｙｅｓ）には本処理を完了する。完了選択表示部１３１２が選択されない場合（Ｎｏ）にはステップＳ１１０４に移行する。
【００８９】
図１４は、第２の登録画面を表示させるデータの関係を示す図である。統合ツール４１０は、第２の登録画面１３０１、識別情報表示部１３０２、設備機器表示部１３０３、作業担当表示部１３０４、作業選択表示部１３０５〜１３０８、書類表示部１３０９、関連書類表示部１３１０、コメント入力部１３１１、完了選択表示部１３１２それぞれに関して、「表示識別情報」、「画面表示情報」「位置情報」「関連情報」などに示されている情報などを用いて処理する。
【００９０】
各表示を識別する表示識別情報を記憶する「表示識別情報」には、本例では、第２の登録画面１３０１の表示識別情報を示す「第２の登録画面」、識別情報表示部１３０２の表示識別情報を示す「識別情報表示部」、設備機器表示部１３０３の表示識別情報を示す「設備機器表示部」、作業担当表示部１３０４の表示識別情報を示す「作業担当表示部」、作業選択表示部１３０５の表示識別情報を示す「作業選択表示部１」、作業選択表示部１３０６の表示識別情報を示す「作業選択表示部２」、作業選択表示部１３０７の表示識別情報を示す「作業選択表示部３」、作業選択表示部１３０８の表示識別情報を示す「作業選択表示部４」、書類表示部１３０９の表示識別情報を示す「書類表示部」、関連書類表示部１３１０の表示識別情報を示す「関連書類表示部」、コメント入力部１３１１の表示識別情報を示す「コメント入力部」、完了選択表示部１３１２の表示識別情報を示す「完了選択表示部」、日時情報入力部１３１３の表示識別情報を示す「日時情報入力部」などが記憶されている。
【００９１】
各表示のサイズや色などの情報を記憶する「画面表示情報」には、本例では、第２の登録画面１３０１の画面表示情報を示す「f3_disp」、識別情報表示部１３０２の画面表示情報を示す「f3_idn_disp」、設備機器表示部１３０３の画面表示情報を示す「f3_cura_disp」、作業担当表示部１３０４の画面表示情報を示す「f3_worker_disp」、作業選択表示部１３０５の画面表示情報を示す「f3_sel1_disp」、作業選択表示部１３０６の画面表示情報を示す「f3_sel2_disp」、作業選択表示部１３０７の画面表示情報を示す「f3_sel3_disp」、作業選択表示部１３０８の画面表示情報を示す「f3_sel4_disp」、書類表示部１３０９の画面表示情報を示す「f3_image1_disp」、関連書類表示部１３１０の画面表示情報を示す「f3_image2_disp」、コメント入力部１３１１の画面表示情報を示す「f3_input_disp」、完了選択表示部１３１２の画面表示情報を示す「f3_end_disp」、日時情報入力部１３１３の画面表示情報を示す「f3_date_disp」などが記憶されている。
【００９２】
各表示の画面上の表示位置を示す情報を記憶する「位置情報」には、本例では、第２の登録画面１３０１の位置情報を示す「f3_pos」、識別情報表示部１３０２の位置情報を示す「f3_idn_pos」、設備機器表示部１３０３の位置情報を示す「f3_cura_pos」、作業担当表示部１３０４の位置情報を示す「f3_worker_pos」、作業選択表示部１３０５の位置情報を示す「f3_sel1_pos」、作業選択表示部１３０６の位置情報を示す「f3_sel2_pos」、作業選択表示部１３０７の位置情報を示す「f3_sel3_pos」、作業選択表示部１３０８の位置情報を示す「f3_sel4_pos」、書類表示部１３０９の位置情報を示す「f3_image1_pos」、関連書類表示部１３１０の位置情報を示す「f3_image2_pos」、コメント入力部１３１１の位置情報を示す「f3_input_pos」、完了選択表示部１３１２の位置情報を示す「f3_end_pos」、日時情報入力部１３１３の位置情報を示す「f3_date_pos」などが記憶されている。
【００９３】
各表示が選択された場合に移行するリンク先のプログラムや実行されるプログラムの位置を表す情報を記憶する「関連情報」には、本例では、第２の登録画面１３０１の関連情報を示す「f3_link」、識別情報表示部１３０２の関連情報を示す「f3_idn_link」、設備機器表示部１３０３の関連情報を示す「f3_cura_link」、作業担当表示部１３０４の関連情報を示す「f3_worker_link」、作業選択表示部１３０５の関連情報を示す「f3_sel1_link」、作業選択表示部１３０６の関連情報を示す「f3_sel2_link」、作業選択表示部１３０７の関連情報を示す「f3_sel3_link」、作業選択表示部１３０８の関連情報を示す「f3_sel4_link」、書類表示部１３０９の関連情報を示す「f3_image1_link」、関連書類表示部１３１０の関連情報を示す「f3_image2_link」、コメント入力部１３１１の関連情報を示す「f3_input_link」、完了選択表示部１３１２の関連情報を示す「f3_end_link」、日時情報入力部１３１３の関連情報を示す「f3_date_link」などが記憶されている。
【００９４】
続いて、機器情報表示画面について説明する。機器情報表示画面は特定した設備または機器の情報を閲覧するための画面である。
【００９５】
図１５は、機器情報表示画面を表示させる動作の一実施例を示すフロー図である。まず、端末２では、入力部２０８ａが、機器情報表示画面に表示させる対象の設備または機器の識別情報の入力を受け付ける。例えば、ステップＳ１５０１では、ユーザが端末２のカメラ３０７で設備または機器に付けられているＡＲタグなどを撮影することにより、撮影した画像を端末２の制御部２０１が取得する。ステップＳ１５０２では、ユーザにより、端末２の画面に表示されている機器情報選択表示部６０４が選択される。
【００９６】
続いて、端末２の制御部２０１が画像（識別情報）を端末２の通信部２０５を介して情報処理装置１に送信する。情報処理装置１は、受信部２０５ａから識別情報を受信すると、統合ツール４１０を用いて機器情報表示画面を表示させるための情報を制御部２０１において生成し、生成した情報を、端末２へ送信する。情報の生成において、制御部２０１は、記憶部２０２に記憶された登録情報の日時情報を参照して、登録情報に基づき最新の状態を示す情報を生成する。
【００９７】
ステップＳ１５０３では、端末２が機器情報表示画面を表示させるための情報を、情報処理装置１から受信すると、端末２の画面に機器情報表示画面が表示される。例えば、図１６に示すような画面である。
【００９８】
図１６は、機器情報表示画面の一実施例を示す図である。端末２に表示される機器情報表示画面１６０１は、取扱説明表示部１６０２、設備機器表示部１６０３、閲覧表示部１６０４、機器画像表示部１６０５、報告情報表示部１６０６、稼動状況表示部１６０７、在庫表示部１６０８、閲覧画像表示部１６０９、計測情報表示部１６１０、連絡情報表示部１６１１、関連機器表示部１６１２、作業内容選択部１６１３、作業実施者選択部１６１４および記録形態選択部１６１５などを有する。機器情報表示画面１６０１に表示させる情報は、情報処理装置１の統合ツール４１０で生成され、端末２に送信される。取扱説明表示部１６０２、設備機器表示部１６０３および機器画像表示部１６０５には、上述のように最新の登録情報が反映された情報が表示される。従って、当初情報処理装置１の記憶部２０２に記憶された情報に対して、更新された情報がさらに記憶部２０２に記憶されている場合、最後に更新された情報が各表示部に表示される。これにより、設備の最新の状態が容易に確認できるため、設備または機器の状態を把握する時間を短縮することができる。そのため、例えば新たな作業を行おうとする作業者は、現在の機器の状態を把握するという作業を行うことなく、作業を実施することができ、業務の作業効率を向上することができる。
【００９９】
取扱説明表示部１６０２には、対象の設備または機器の取扱説明を表示させるために設けられている。端末２で取扱説明表示部１６０２が選択されると、端末２から情報処理装置１へ取扱説明に関する情報を取得するための指示が送信される。情報処理装置１は指示を受信すると、図書情報記憶部４１９から取扱説明に関する情報を取得して、端末２へ送信する。端末２は取扱説明に関する情報を取得して取扱説明を取扱説明表示部１６０２に表示する。
【０１００】
設備機器表示部１６０３には、対象の設備または機器の名称が表示される。端末２から情報処理装置１へ対象の設備または機器の名称に関する情報を取得するための指示が送信される。情報処理装置１は指示を受信すると、モノ情報記憶部４２５から対象の設備または機器の名称に関する情報を取得して、端末２へ送信する。端末２は対象の設備または機器の名称に関する情報を取得して名称を設備機器表示部１６０３に表示する。
【０１０１】
閲覧表示部１６０４には、対象の設備または機器の情報に対応付けられた作業の履歴情報が、表示部（アイコンなど）により時系列に表示される。かかる時系列の表示については、後述する図２０および図２１の説明において詳述する。
【０１０２】
機器画像表示部１６０５には対象の設備または機器の写真が表示される。端末２から情報処理装置１へ対象の設備または機器の写真に関する情報を取得するための指示が送信される。情報処理装置１は指示を受信すると、メディア情報記憶部４１８から対象の設備または機器の写真に関する情報を取得して、端末２へ送信する。端末２は対象の設備または機器の写真に関する情報を取得して写真を機器画像表示部１６０５に表示する。
【０１０３】
報告情報表示部１６０６は選択されると、閲覧表示部１６０４に時系列に表示された表示部に対応する設備または機器の報告書などが閲覧画像表示部１６０９に表示される。端末２で報告情報表示部１６０６が選択されると、端末２から情報処理装置１へ報告書に関する情報を取得するための指示が送信される。情報処理装置１は指示を受信すると、報告書記憶部４２０から報告書に関する情報を取得して、端末２へ送信する。端末２は報告書に関する情報を取得して報告書を閲覧画像表示部１６０９に表示する。
【０１０４】
稼動状況表示部１６０７は選択されると、閲覧表示部１６０４に時系列に表示された表示部に対応する設備または機器の稼動状況を示す情報が閲覧画像表示部１６０９に表示される。端末２で稼動状況表示部１６０７が選択されると、端末２から情報処理装置１へ稼動状況に関する情報を取得するための指示が送信される。情報処理装置１は指示を受信すると、監視ツール４１６が取得した設備または機器の稼動状況に関する情報を取得して、端末２へ送信する。端末２は稼動状況に関する情報を取得して稼動状況を閲覧画像表示部１６０９に表示する。
【０１０５】
在庫表示部１６０８は選択されると、対象の設備または機器の在庫に関する情報が閲覧画像表示部１６０９に表示される。端末２で在庫表示部１６０８が選択されると、端末２から情報処理装置１へ在庫に関する情報を取得するための指示が送信される。情報処理装置１は指示を受信すると、在庫に関する情報を取得して、端末２へ送信する。端末２は在庫に関する情報を取得して稼動状況を閲覧画像表示部１６０９に表示する。
【０１０６】
閲覧画像表示部１６０９は選択されると、対象の設備または機器に関する画像が表示される。計測情報表示部１６１０は、対象の設備または機器の計測に関する情報が表示される。端末２から情報処理装置１へ対象の設備または機器の計測に関する情報を取得するための指示が送信される。情報処理装置１は指示を受信すると、監視ツール４１６が取得した設備または機器の計測に関する情報を取得して、端末２へ送信する。端末２は計測に関する情報を取得して計測状況を閲覧画像表示部１６０９に表示する。
【０１０７】
連絡情報表示部１６１１は選択されると、対象の設備または機器に対する連絡先が表示される。端末２で連絡情報表示部１６１１が選択されると、端末２から情報処理装置１へ連絡先に関する情報を取得するための指示が送信される。情報処理装置１は指示を受信すると、連絡先に関する情報を取得して、端末２へ送信する。端末２は連絡先に関する情報を取得して連絡先を閲覧画像表示部１６０９に表示する。
【０１０８】
関連機器表示部１６１２は選択されると、対象の設備または機器に関連する機器が表示される。端末２で関連機器表示部１６１２が選択されると、端末２から情報処理装置１へ関連機器に関する情報を取得するための指示が送信される。情報処理装置１は指示を受信すると、関連機器に関する情報をコト情報記憶部４２６から取得して、端末２へ送信する。端末２は関連機器に関する情報を取得して関連機器を閲覧画像表示部１６０９に表示する。
【０１０９】
次に、各選択部１６１３乃至１６１５について説明する。各選択部１６１３乃至１６１５は、閲覧表示部１６０４に表示される情報を選択するものである。すなわち、端末２は、入力部２０８ａにおいて、ユーザから選択部のいずれかの選択を受け付ける。この選択は、出力部２０８ｂの閲覧表示部１６０４に表示する作業履歴の履歴情報を抽出するための抽出条件となる。端末２の通信部２０５は、選択された抽出条件を情報処理装置１に送信する。そして、情報処理装置１では、制御部２０１が、抽出条件を満たす履歴情報を、記憶部２０２に記憶された登録情報から抽出する。抽出された履歴情報は、送信部２０５ｂから端末２に送信され、端末２では、制御部２０１が、受信した履歴情報を、日時情報に基づいて閲覧表示部１６０４に表示させる。かかる抽出により、ユーザは閲覧を希望する情報を選択的に閲覧表示部１６０４に表示させて、閲覧することが可能となる。以下、各選択部１６１３乃至１６１５についてそれぞれ具体的に説明する。
【０１１０】
作業内容選択部１６１３は、閲覧表示部１６０４に表示する履歴情報を作業の内容ごとに選択する場合に使用される。作業の内容とは、監視、修繕、改造、点検および保守などの各作業を示す具体的な文字列などである。ユーザが端末２の入力部２０８ａにおいて作業内容選択部１６１３を選択すると、端末２の制御部２０１は、出力部２０８ｂ上に、作業の内容を入力するための画面を表示する。ユーザが、入力部２０８ａを使用して抽出条件となる作業の内容に係る文字列を入力する。例えば、ユーザが「修繕」と入力したとする。入力された抽出条件は、端末２から情報処理装置１に送信され、情報処理装置１では、制御部２０１が、「修繕」に係る履歴情報を検索して抽出する。抽出された履歴情報は、情報処理装置１から端末２に送信され、端末２の閲覧表示部１６０４に時系列的に表示される。このようにして、特定の作業の内容に係る履歴情報を選択して閲覧表示部１６０４に表示させることができる。
【０１１１】
作業実施者選択部１６１４は、閲覧表示部１６０４に表示する履歴情報を作業実施者ごとに選択する場合に使用される。作業実施者とは、各作業を行った実施業者および実施担当者である。ユーザが端末２の入力部２０８ａにおいて作業実施者選択部１６１４を選択すると、端末２の制御部２０１は、出力部２０８ｂ上に、作業者を入力するための画面を表示する。ユーザは、入力部２０８ａを使用して、抽出条件となる作業実施者を入力する。例えば、ユーザが「Ａ業者」と入力したとする。入力された抽出条件は、端末２から情報処理装置１に送信され、情報処理装置１では、制御部２０１が、「Ａ業者」に係る履歴情報を抽出する。抽出された履歴情報は、情報処理装置１から端末２に送信され、端末２の閲覧表示部１６０４に時系列的に表示される。このようにして、特定の作業実施者に係る履歴情報を選択して閲覧表示部１６０４に表示させることができる。
【０１１２】
記録形態選択部１６１５は、閲覧表示部１６０４に表示する履歴情報を記録形態ごとに選択する場合に使用される。記録形態とは、仕様書、部品表、組立図、写真、図面および音声などの各作業に係る具体的な記録形態である。ユーザが端末２の入力部２０８ａにおいて記録形態選択部１６１５を選択すると、端末２の制御部２０１は、出力部２０８ｂ上に、抽出する記録形態の候補（すなわち、仕様書、部品表、組立図、写真、図面および音声など）を表示する。ユーザが、表示された候補から１つの記録形態を、抽出条件として入力部２０８ａを使用して選択する。例えば、ユーザが「音声」を選択したとする。選択された抽出条件は、端末２から情報処理装置１に送信され、情報処理装置１では、制御部２０１が、「音声」として記憶部２０２に記憶された履歴情報を抽出する。抽出された履歴情報は、情報処理装置１から端末２に送信され、端末２の閲覧表示部１６０４に時系列的に表示される。このようにして、特定の記録形態に係る履歴情報を選択して閲覧表示部１６０４に表示させることができる。
【０１１３】
ステップＳ１５０４では、端末２を用いて対象の設備または機器に関連する情報の閲覧がされる（閲覧処理）。ステップＳ１５０５では、端末２を用いての閲覧が完了した場合（Ｙｅｓ）には本処理を完了し、本処理を完了しない場合（Ｎｏ）にはステップＳ１５０４に移行する。
【０１１４】
図１７は、機器情報表示画面を表示させるデータの関係を示す図である。統合ツール４１０は、機器情報表示画面１６０１、取扱説明表示部１６０２、設備機器表示部１６０３、閲覧表示部１６０４、機器画像表示部１６０５、報告情報表示部１６０６、稼動状況表示部１６０７、在庫表示部１６０８、閲覧画像表示部１６０９、計測情報表示部１６１０、連絡情報表示部１６１１、関連機器表示部１６１２、作業内容選択部１６１３、作業実施者選択部１６１４および記録形態選択部１６１５それぞれに関して、「表示識別情報」、「画面表示情報」「位置情報」「関連情報」などに示されている情報などを用いて処理する。
【０１１５】
各表示を識別する表示識別情報を記憶する「表示識別情報」には、本例では、機器情報表示画面１６０１の表示識別情報を示す「第２の登録画面」、取扱説明表示部１６０２の表示識別情報を示す「取扱説明表示部」、設備機器表示部１６０３の表示識別情報を示す「設備機器表示部」、閲覧表示部１６０４の表示識別情報を示す「閲覧表示部」、機器画像表示部１６０５の表示識別情報を示す「機器画像表示部」、報告情報表示部１６０６の表示識別情報を示す「報告情報表示部」、稼動状況表示部１６０７の表示識別情報を示す「稼動状況表示部」、在庫表示部１６０８の表示識別情報を示す「在庫表示部」、閲覧画像表示部１６０９の表示識別情報を示す「閲覧画像表示部」、計測情報表示部１６１０の表示識別情報を示す「計測情報表示部」、連絡情報表示部１６１１の表示識別情報を示す「連絡情報表示部」、関連機器表示部１６１２の表示識別情報を示す「関連機器表示部」、作業内容選択部１６１３の表示識別情報を示す「作業内容選択部」、作業実施者選択部１６１４の表示識別情報を示す「作業実施者選択部」および記録形態選択部１６１５の表示識別情報を示す「記録形態選択部」などが記憶されている。
【０１１６】
各表示のサイズや色などの情報を記憶する「画面表示情報」には、本例では、機器情報表示画面１６０１の画面表示情報を示す「f4_disp」、取扱説明表示部１６０２の画面表示情報を示す「f4_ope_disp」、設備機器表示部１６０３の画面表示情報を示す「f4_cura_disp」、閲覧表示部１６０４の画面表示情報を示す「f4_consult_disp」、機器画像表示部１６０５の画面表示情報を示す「f4_report_disp」、報告情報表示部１６０６の画面表示情報を示す「f4_status_disp」、稼動状況表示部１６０７の画面表示情報を示す「f4_stock_disp」、在庫表示部１６０８の画面表示情報を示す「f4_image1_disp」、閲覧画像表示部１６０９の画面表示情報を示す「f4_image2_disp」、計測情報表示部１６１０の画面表示情報を示す「f4_image3_disp」、連絡情報表示部１６１１の画面表示情報を示す「f4_contact_disp」、関連機器表示部１６１２の画面表示情報を示す「f4_relate_disp」、作業内容選択部１６１３の画面表示情報を示す「f4_selectcontents_disp」、作業実施者選択部１６１４の画面表示情報を示す「f4_selectpic_disp」および記録形態選択部１６１５の画面表示情報を示す「f4_selectform_disp」などが記憶されている。
【０１１７】
各表示の画面上の表示位置を示す情報を記憶する「位置情報」には、本例では、機器情報表示画面１６０１の位置情報を示す「f4_pos」、取扱説明表示部１６０２の位置情報を示す「f4_ope_pos」、設備機器表示部１６０３の位置情報を示す「f4_cura_pos」、閲覧表示部１６０４の位置情報を示す「f4_consult_pos」、機器画像表示部１６０５の位置情報を示す「f4_report_pos」、報告情報表示部１６０６の位置情報を示す「f4_status_pos」、稼動状況表示部１６０７の位置情報を示す「f4_stock_pos」、在庫表示部１６０８の位置情報を示す「f4_image1_pos」、閲覧画像表示部１６０９の位置情報を示す「f4_image2_pos」、計測情報表示部１６１０の位置情報を示す「f4_image3_pos」、連絡情報表示部１６１１の位置情報を示す「f4_contact_pos」、関連機器表示部１６１２の位置情報を示す「f4_relate_pos」、作業内容選択部１６１３の位置情報を示す「f4_selectcontents_pos」、作業実施者選択部１６１４の位置情報を示す「f4_selectpic_pos」および記録形態選択部１６１５の位置情報を示す「f4_selectform_pos」などが記憶されている。
【０１１８】
各表示が選択された場合に移行するリンク先のプログラムや実行されるプログラムの位置を表す情報を記憶する「関連情報」には、本例では、機器情報表示画面１６０１の関連情報を示す「f4_link」、取扱説明表示部１６０２の関連情報を示す「f4_ope_link」、設備機器表示部１６０３の関連情報を示す「f4_cura_link」、閲覧表示部１６０４の関連情報を示す「f4_consult_link」、機器画像表示部１６０５の関連情報を示す「f4_report_link」、報告情報表示部１６０６の関連情報を示す「f4_status_link」、稼動状況表示部１６０７の関連情報を示す「f4_stock_link」、在庫表示部１６０８の関連情報を示す「f4_image1_link」、閲覧画像表示部１６０９の関連情報を示す「f4_image2_link」、計測情報表示部１６１０の関連情報を示す「f4_image3_link」、連絡情報表示部１６１１の関連情報を示す「f4_contact_link」、関連機器表示部１６１２の関連情報を示す「f4_relate_link」、作業内容選択部１６１３の関連情報を示す「f4_selectcontents_link」、作業実施者選択部１６１４の関連情報を示す「f4_selectpic_link」および記録形態選択部１６１５の関連情報を示す「f4_selectform_link」などが記憶されている。
【０１１９】
次に、閲覧表示部について説明する。図１８、図１９は、閲覧表示部を表示させる動作の一実施例を示すフロー図である。
【０１２０】
ステップＳ１８０１では、端末２の画面に閲覧表示部１６０４（タイムスライダなど）が表示される。
【０１２１】
ステップＳ１８０２では、閲覧表示部１６０４に対してタッチパネル３０２を用いてピッチインまたはピッチアウトの動作が行われたことを、端末２の制御部２０１が検出する。ピッチインを検出した場合にはステップＳ１８０３に移行し、ピッチアウトを検出した場合にはステップＳ１８０４に移行する。ピッチインおよびピッチアウトは、親指と人差指を用いて画面上の指定した箇所の表示を拡大と縮小させる処理である。本例では、ピッチインおよびピッチアウトにより表示を拡大と縮小をさせているが、拡大と縮小ができる処理であればピッチインおよびピッチアウトに限定されるものではない。
【０１２２】
ステップＳ１８０３では、端末２の制御部２０１が閲覧表示部１６０４の現在の表示期間を長くする処理を行う。端末２の制御部２０１は、ピッチインの動作に応じて決められる表示期間に、閲覧表示部１６０４の表示期間を変更させるための指示を情報処理装置１に送信する。情報処理装置１は指示を受信すると、統合ツール４１０が閲覧表示部１６０４の表示期間を変更させるための情報を収集または生成する。図２０を参照。
【０１２３】
図２０は、閲覧表示部の表示の一実施例を示す図である。図２０の閲覧表示部２００１ａには表示期間として１１月１日から１１月３０日の期間が表示され、ピッチインすることにより図２０の閲覧表示部２００１ｂに示すように表示期間が１０月１日から１１月３０日の期間に変更される。本例では、１１月１から１１月３０日の表示期間を１０月１日から１１月３０日の表示期間に変更したが、表示する期間は限定されるものではない。
【０１２４】
ステップＳ１８０４では、端末２の制御部２０１が閲覧表示部１６０４の現在の表示期間を短くする処理を行う。端末２の制御部２０１は、ピッチアウトの動作に応じて決められる表示期間に、閲覧表示部１６０４の表示期間を変更させるための指示を情報処理装置１に送信する。情報処理装置１は指示を受信すると、統合ツール４１０が閲覧表示部１６０４の表示期間を変更させるための情報を収集または生成する。図２１を参照。
【０１２５】
図２１は、閲覧表示部の表示の一実施例を示す図である。図２１の閲覧表示部２００１ｂには表示期間として１０月１日から１１月３０日の期間が表示され、ピッチアウトすることにより図２１の閲覧表示部２００１ａに示すように表示期間が１１月１日から１１月３０日の期間に変更される。本例では、１０月１日から１１月３０日の表示期間を１１月１日から１１月３０日の表示期間に変更したが、表示する期間は限定されるものではない。
【０１２６】
ステップＳ１８０５では、端末２の制御部２０１が表示期間に合わせて情報を表示させる処理を行う。表示期間に合わせて表示させる情報とは、後述する図２０、図２１の日時表示部２００３ａ、２００３ｂ、日時表示部２００６、履歴表示部２００７ａ、履歴表示部２００７ｂ、履歴表示部２００７ｃ、履歴表示部２００７ｄ、履歴表示部２００７ｅなどを表示させるための情報である。
【０１２７】
図１９のステップＳ１９０１〜Ｓ１９０５を参照。図１９、図２０、図２１を用いて、表示期間に合わせて情報を表示させる処理について説明する。ステップＳ１９０１では、情報処理装置１の統合ツールが表示期間を決められた期間に分けて日時と関連付ける。例えば、端末２に表示されている表示期間が１１月１日から１１月３０日の期間であれば、決められた期間を約５日ごとに６つの期間Ｔ１〜Ｔ６に分けることが考えられる。１１月１日から１１月５日、１１月６日から１１月１０日、１１月１１日から１１月１５日、１１月１６日から１１月２０日、１１月２１日から１１月２５日、１１月２６日から１１月３０日に分けることが考えられる。また、表示期間が１０月１日から１１月３０日の期間であれば、決められた期間を約２倍の約１０日ごとに６つの期間Ｔ１〜Ｔ６に分けることが考えられる。１０月１日から１０月１０日、１０月１１日から１０月２０日、１０月２１日から１０月３１日、１１月１日から１１月１０日、１１月１１日から１１月２０日、１１月２１日から１１月３０日に分けることが考えられる。ただし、決められた期間は５日または１０日に限定されるものではない。
【０１２８】
ステップＳ１９０２では、情報処理装置１の統合ツールがストレージ部４１７から、決められた期間Ｔ１〜Ｔ６ごとにその期間に登録された対象の設備または機器の修繕、改造、点検および保守作業で作成した点検項目リストや各種報告書（報告書）を表す情報を、期間Ｔ１〜Ｔ６それぞれに対応付けて取得する。その情報の期間Ｔ１〜Ｔ６それぞれへの対応付けは、修繕、改造、点検および保守作業をした日時、または作業に対する点検項目リストや各種報告書など（報告書）を作成した日時、またはストレージ部４１７に登録した日時などに基づいて行う。取得した作業に対する点検項目リストや各種報告書などには、図２０、図２１に示すような履歴表示部２００７ａ、履歴表示部２００７ｂ、履歴表示部２００７ｃ、履歴表示部２００７ｄ、履歴表示部２００７ｅなどの作業表示（アイコンなど）を割り付ける。作業表示は、例えば、作業ごとに形状、模様、配色などを変えることが考えられる。例えば、履歴表示部２００７ａ、履歴表示部２００７ｂ、履歴表示部２００７ｄはＭ社が実施した点検および保守を示す作業表示で、また履歴表示部２００７ｅはＭ社が実施した修繕を示す作業表示である。また、履歴表示部２００７ｃはＴ社が実施した修繕を示す作業表示である。図２０、図２１に示すように登録した情報に対応する表示を決められた期間ごとに時系列に表示することができる。
【０１２９】
ステップＳ１９０３では、情報処理装置１の統合ツールが決められた期間内に複数の情報があるか否かを判定し、複数ある場合（Ｙｅｓ）にはステップＳ１９０４に移行し、ない場合（Ｎｏ）にはステップＳ１９０５に移行する。
【０１３０】
ステップＳ１９０４では、情報処理装置１の統合ツールが同一の決められた期間に複数の作業表示がある場合に、作業表示の数を表示させるための処理を行う。この処理は、同一の決められた期間に複数の作業表示が重なるように表示された場合に、重なっている作業表示の数がいくつあるかを分かり易くする。その結果、複数の作業表示をただ単に重ねて表示した場合と違い、作業表示を見落とすことなく閲覧できる。また、見落としがないため設備または機器の状態を把握するのにかかる時間を短縮することができる。なお、複数の作業表示がある場合の表示は、数を示す方法に限定されず、例えば、作業表示を、期間表示部２００２に対して垂直方向に、作業表示を重ねることなく個数分表示してもよい。これにより、ユーザは、視覚的に複数の作業表示があることを認識でき、設備または機器の状態を把握するのにかかる時間をさらに短縮することができる。
【０１３１】
図２０、図２１の閲覧表示部２００１ｂの履歴表示部２００８は作業表示である履歴表示部２００７ａ、履歴表示部２００７ｂが２つあることを、履歴総数表示部２００９を用いて示している。本例では、同じ種類の作業表示を１つにして履歴総数表示部２００９に合計数を表示しているが、異なる種類の作業表示を１つにして合計数を表示してもよい。また、合計数が１の場合に履歴総数表示部に「１」を表示してもよい。
【０１３２】
ステップＳ１９０５では、全ての決められた期間についてステップＳ１９０３からステップＳ１９０５の処理をしたか否かを判定し、全ての決められた期間について処理が完了している場合（Ｙｅｓ）には処理を完了する。処理が完了していない場合（Ｙｅｓ）にはステップＳ１９０６に移行する。ステップＳ１９０６では次の期間を選択する。現在期間Ｔ１が選択されている場合には期間Ｔ２を選択する。
【０１３３】
情報処理装置１の統合ツールがステップＳ１９０１〜Ｓ１９０６の処理を完了して、図２０、図２１に表示させるための情報を生成すると、端末２にその情報を送信する。端末２は情報を受信すると、端末２の制御部２０１が表示パネル３０４に図２０または図２１に示したような表示を閲覧表示部１６０４にする。
【０１３４】
図２０、図２１について説明する。矢印表示部２００５ａ、２００５ｂは表示期間を細かく変更する場合に用いる。矢印表示部２００５ａ、２００５ｂがスタイラスペンや指先などで選択されごとに、決められた期間Ｔ１〜Ｔ６よりも短い詳細期間だけ表示期間の表示が変更される。表示期間が１１月１日から１１月３０日の期間で、詳細期間が１日であれば、例えば、矢印表示部２００５ａが１回選択されると表示期間が１０月３１日から１１月２９日の期間に変更される。
【０１３５】
期間表示部２００２（スライダバー）は表示期間のタイムスケールを示す表示である。また、期間表示部２００２に表示されているつまみ部２００４は、移動させることにより期間表示部２００２の位置に対応する日時を表示するための日時表示部２００６に日時を表示させる。本例では、年月日だけが表示されているが時間まで表示させてもよい。
【０１３６】
日時表示部２００３ａ、２００３ｂは表示期間の最初と最後の日時を表示する。本例では、年月日だけが表示されているが時間を表示させてもよい。履歴表示部２００７ａ、履歴表示部２００７ｂ、履歴表示部２００７ｃ、履歴表示部２００７ｄ、履歴表示部２００７ｅ、履歴表示部２００８は、作業の種類を示す表示で、例えば、アイコンなどである。履歴総数表示部２００９は、決められた期間ごとの作業表示の合計数を表示する。
【０１３７】
図２２は、閲覧表示部を表示させるデータの関係を示す図である。統合ツール４１０は、矢印表示部２００５ａ、２００５ｂ、期間表示部２００２、日時表示部２００３ａ、２００３ｂ、日時表示部２００６、履歴表示部２００７ａ、履歴表示部２００７ｂ、履歴表示部２００７ｃ、履歴表示部２００７ｄ、履歴表示部２００７ｅ、履歴表示部２００８、履歴総数表示部２００９などの表示されるそれぞれに関して、「表示識別情報」、「画面表示情報」「位置情報」「関連情報」などに示されている情報などを用いて処理する。
【０１３８】
各表示を識別する表示識別情報を記憶する「表示識別情報」には、本例では、矢印表示部２００５ａ、２００５ｂの表示識別情報を示す「矢印表示部」、期間表示部２００２の表示識別情報を示す「期間表示部」、日時表示部２００３ａ、２００３ｂの表示識別情報を示す「日時表示部１」、日時表示部２００６の表示識別情報を示す「日時表示部２」、履歴表示部２００７ａの表示識別情報を示す「履歴表示部１」、履歴表示部２００７ｂの表示識別情報を示す「履歴表示部２」、履歴表示部２００７ｃの表示識別情報を示す「履歴表示部３」、履歴表示部２００７ｄの表示識別情報を示す「履歴表示部４」、履歴表示部２００７ｅの表示識別情報を示す「履歴表示部５」、履歴表示部２００８の表示識別情報を示す「履歴表示部６」、履歴総数表示部２００９の表示識別情報を示す「履歴総数表示部」などが記憶されている。
【０１３９】
各表示のサイズや色などの情報を記憶する「画面表示情報」には、本例では、矢印表示部２００５ａ、２００５ｂの画面表示情報を示す「f5_image1_disp」、期間表示部２００２の画面表示情報を示す「f5_image2_disp」、日時表示部２００３ａ、２００３ｂの画面表示情報を示す「f5_image3_disp」、日時表示部２００６の画面表示情報を示す「f5_image4_disp」、履歴表示部２００７ａの画面表示情報を示す「f5_image5_disp」、履歴表示部２００７ｂの画面表示情報を示す「f5_image6_disp」、履歴表示部２００７ｃの画面表示情報を示す「f5_image7_disp」、履歴表示部２００７ｄの画面表示情報を示す「f5_image8_disp」、履歴表示部２００７ｅの画面表示情報を示す「f5_image9_disp」、履歴表示部２００８の画面表示情報を示す「f5_image10_disp」、履歴総数表示部２００９の画面表示情報を示す「f5_image11_disp」などが記憶されている。
【０１４０】
各表示の画面上の表示位置を示す情報を記憶する「位置情報」には、本例では、矢印表示部２００５ａ、２００５ｂの位置情報を示す「f5_image1_pos」、期間表示部２００２の位置情報を示す「f5_image2_pos」、日時表示部２００３ａ、２００３ｂの位置情報を示す「f5_image3_pos」、日時表示部２００６の位置情報を示す「f5_image4_pos」、履歴表示部２００７ａの位置情報を示す「f5_image5_pos」、履歴表示部２００７ｂの位置情報を示す「f5_image6_pos」、履歴表示部２００７ｃの位置情報を示す「f5_image7_pos」、履歴表示部２００７ｄの位置情報を示す「f5_image8_pos」、履歴表示部２００７ｅの位置情報を示す「f5_image9_pos」、履歴表示部２００８の位置情報を示す「f5_image10_pos」、履歴総数表示部２００９の位置情報を示す「f5_image11_pos」などが記憶されている。
【０１４１】
各表示が選択された場合に移行するリンク先のプログラムや実行されるプログラムの位置を表す情報を記憶する「関連情報」には、本例では、矢印表示部２００５ａ、２００５ｂの関連情報を示す「f5_image1_link」、期間表示部２００２の関連情報を示す「f5_image2_link」、日時表示部２００３ａ、２００３ｂの関連情報を示す「f5_image3_link」、日時表示部２００６の関連情報を示す「f5_image4_link」、履歴表示部２００７ａの関連情報を示す「f5_image5_link」、履歴表示部２００７ｂの関連情報を示す「f5_image6_link」、履歴表示部２００７ｃの関連情報を示す「f5_image7_link」、履歴表示部２００７ｄの関連情報を示す「f5_image8_link」、履歴表示部２００７ｅの関連情報を示す「f5_image9_link」、履歴表示部２００８の関連情報を示す「f5_image10_link」、履歴総数表示部２００９の関連情報を示す「f5_image11_link」などが記憶されている。
【０１４２】
本実施の形態によれば、設備または機器の状態を把握する時間を短縮することができるため、業務の作業効率を向上できる。また、作業表示を絞り込む場合には、図２３に示すような表示を用いて作業表示を絞り込むことにより、設備または機器の状態を把握する時間を短縮することができる。図２３は、絞込み表示部を表示させるデータの関係を示す図である。図２３の対象の絞込み画面２３０１の例は、作業担当１が実施した点検に関する作業表示だけを表示させる場合の例である。作業担当の一覧表示２３０２から絞り込む対象を選択するための作業担当１チェックボックス２３０３と、作業の一覧表示２３０４から絞り込む対象を選択するための点検チェックボックス２３０５と、にチェックがされている。
【０１４３】
絞込み画面２３０１の表示は、統合ツール４１０から作業表示する対象の絞込み画面２３０１を表示させるための情報を取得し、情報処理装置１から送信された情報を端末２が受信し、端末２の画面に表示する。
【０１４４】
また、作業表示を選択して、図２４、図２５に示すような表示をしてもよい。図２４、図２５は、表示部を表示させるデータの関係を示す図である。図２４の場合は、作業表示に対応する対象の設備または機器の修繕、改造、点検および保守作業で作成した点検項目リストや各種報告書（報告書）を表す情報を表示部２４０１に表示している。図２５は、作業表示が４つあるので、それぞれに対応する修繕、改造、点検および保守作業で作成した点検項目リストや各種報告書を表す情報を表示部２５０１に表示できるようにしている。また、矢印表示部２５０３ａ、２５０３ｂを用いて閲覧画像表示部１６０９に表示する画面を変更する。その際に、４つの作業表示のうちどの作業表示に対応する表示がされているかを、選択表示部２５０２を用いて作業者に提示する。本例では、４つのうちの３番目に古い作業表示が表示されていることを「３／４」と表している。ただし、選択表示部２５０２の表示の方法は限定されるものではない。
【０１４５】
図２３〜２５によれば、さらに設備または機器の状態を把握する時間を短縮することができるため、業務の作業効率を向上できる。また、本発明は、実施の形態に限定されるものでなく、本発明の要旨を逸脱しない範囲内で種々の改良、変更が可能である。
【符号の説明】
【０１４６】
１ 情報処理装置、
２ 端末、
２ａ〜２ｎ 端末、
３ ネットワーク
２０１ 制御部、
２０２ 記憶部、
２０３ 記録媒体読取装置、
２０４ 入出力インタフェース、
２０５ 通信部、
２０６ バス、
２０７ 記録媒体、
２０８ 入出力部、
３０１ タッチパネル制御ＩＣ、
３０２ タッチパネル、
３０３ 表示制御ＩＣ、
３０４ 表示パネル、
３０５ マイク、
３０６ スピーカ、
３０７ カメラ、
３０８ センサ、
４０１ 管理部、
４０２ 機器管理部、
４０３ 認証部、
４０４ 機器識別情報管理部、
４０５ 機器識別情報記憶部、
４０６ アクセス制御部、
４０７ 端末認証部、
４０８ 利用者認証部、
４０９ コンテンツ部、
４１０ 統合ツール、
４１１ 業務ツール、
４１２ 識別ツール、
４１３ 帳票作成ツール、
４１４ 機器情報ツール、
４１５ 電子書庫ツール、
４１６ 監視ツール、
４１７ ストレージ部、
４１８ メディア情報記憶部、
４１９ 図書情報記憶部、
４２０ 報告書記憶部、
４２１ 登録部、
４２２ 機器情報登録部、
４２３ 機器関連情報記憶部、
４２４ 階層情報記憶部、
４２５ モノ情報記憶部、
４２６ コト情報記憶部、
６０１ 第１の画面、
６０２ 第１の登録表示部、
６０３ 第２の登録表示部、
６０４ 機器情報選択表示部、
６０５ 画像表示部、
９０１ 第１の登録画面、
９０２ 識別情報表示部、
９０３ 入力部、
９０４ 指定図識別情報表示部、
９０５ 指定図表示部
９０６ 指定位置表示部、
９０７ 指定位置表示部、
１３０１ 第２の登録画面、
１３０２ 識別情報表示部、
１３０３ 設備機器表示部、
１３０４ 作業担当表示部、
１３０５、１３０６、１３０７、１３０８ 作業選択表示部、
１３０９ 書類表示部、
１３１０ 関連書類表示部、
１３１１ コメント入力部、
１３１２ 完了選択表示部、
１６０１ 機器情報表示画面、
１６０２ 取扱説明表示部、
１６０３ 設備機器表示部、
１６０４ 閲覧表示部、
１６０５ 機器画像表示部、
１６０６ 報告情報表示部、
１６０７ 稼動状況表示部、
１６０８ 在庫表示部、
１６０９ 閲覧画像表示部、
１６１０ 計測情報表示部、
１６１１ 連絡情報表示部、
１６１２ 関連機器表示部、
１６１３ 作業内容選択部
１６１４ 作業実施者選択部
１６１５ 記録形態選択部
２００１ａ、２００１ｂ 閲覧表示部、
２００２ 期間表示部、
２００３ａ、２００３ｂ 日時表示部、
２００４ つまみ部、
２００５ａ、２００５ｂ 矢印表示部、
２００６ 日時表示部、
２００７ａ、２００７ｂ、２００７ｃ、２００７ｄ、２００７ｅ、２００８ 履歴表示部、
２００９ 履歴総数表示部、
２３０１ 絞込み画面、
２３０２ 作業担当の一覧表示、
２３０３ 作業担当１チェックボックス、
２３０４ 作業の一覧表示、
２３０５ 点検チェックボックス、
２４０１ 表示部、
２５０１ 表示部、
２５０２ 選択表示部、
２５０３ａ、２５０３ｂ 矢印表示部、
【図１】
2014167793.tif 000003
【図２】
2014167793.tif 000004
【図３】
2014167793.tif 000005
【図４】
2014167793.tif 000006
【図５】
2014167793.tif 000007
【図６】
2014167793.tif 000008
【図７】
2014167793.tif 000009
【図８】
2014167793.tif 000010
【図９】
2014167793.tif 000011
【図１０】
2014167793.tif 000012
【図１１】
2014167793.tif 000013
【図１２】
2014167793.tif 000014
【図１３】
2014167793.tif 000015
【図１４】
2014167793.tif 000016
【図１５】
2014167793.tif 000017
【図１６】
2014167793.tif 000018
【図１７】
2014167793.tif 000019
【図１８】
2014167793.tif 000020
【図１９】
2014167793.tif 000021
【図２０】
2014167793.tif 000022
【図２１】
2014167793.tif 000023
【図２２】
2014167793.tif 000024
【図２３】
2014167793.tif 000025
【図２４】
2014167793.tif 000026
【図２５】
2014167793.tif 000027